(57)【特許請求の範囲】
【請求項１】
商品が展示販売される２以上の販売台と、販売台に展示されている商品および／または商品に関連する宣伝広告が表示されている１以上の広告板と、前記販売台と広告板の配置位置を特定させる固定フレームと、から構成されている複合展示販売台であって、
前記固定フレームは、少なくとも背面板の左右端に側面板、後端に底面板が折り立てられているフレームから構成されており、
前記販売台は、前記商品が配置される表面板と、左右端に側面板をそなえ、かつ、前記広告板の差し込み部を差し込む差し込み穴が設けられており、
前記固定フレームは、フレームの底面板を底面として配置したときに、前記販売台を上下に２以上配置する縦置きの形態と、フレームの背面板を底面として配置したときに、前記販売台を前後に２以上配置する縦置きの形態と、を具備することを特徴とする複合展示販売台。
【請求項２】
前記固定フレームと販売台とは、固定治具により固定されていることを特徴とする請求項１記載の複合展示販売台。
【請求項３】
前記販売台には、側面の２箇所の他に、背面の２箇所に販売台と固定フレームを固定させるための固定治具取付け穴が設けられていることを特徴とする請求項２記載の複合展示販売台。
【請求項４】
前記販売台には、展示販売される商品の形状に対応した商品保持部が備えられていることを特徴とする請求項１、２又は３記載の複合展示販売台。
【請求項５】
前記広告板は、ミラーが取付け可能に形成されていることを特徴とする請求項１、２、３又は４記載の複合展示販売台。
【請求項６】
前記販売台の側面板上の傾斜角度と、底面板を底面としたときの固定フレームの各側面板上部の傾斜角度と、背面板を底面としたときの固定フレームの側面板上部の傾斜角度と、が同一であることを特徴とする請求項１、２、３又は４記載の複合展示販売台。
【請求項７】
背面板を底面としたときの前記固定フレームの高さは、前記販売台を２段重ねた高さと略同一とすることを特徴とする請求項１、２、３、４、５又は６記載の複合展示販売台。
【請求項８】
前記固定フレームの幅は、前記販売台の幅の略倍数とすることを特徴とする請求項１、２、３、４、５、６又は７記載の複合展示販売台。
【請求項９】
前記販売台、広告板及び固定フレームとが、紙素材から作製されていることを特徴とする請求項１、２、３、４、５、６、７又は８記載の複合展示販売台。
【発明の詳細な説明】
【技術分野】
【０００１】
本発明は、店頭等で菓子、薬品、化粧品、日用雑貨等の商品を展示しながら販売する展示販売台に関するものであり、特には、店頭の状況に応じて陳列スペースを変更可能にした複合展示販売台に関する。
【背景技術】
【０００２】
従来、菓子、薬品、化粧品、日用雑貨等の商品を展示しながら販売する展示販売台として多数の特許、実用新案が公開されている（例えば、特許文献１参照）。
【０００３】
上記先行技術文献を示す。  
【特許文献１】特開平１１−３４２０５５号公報。
【０００４】
しかし、これらの展示販売台はいずれも形状や大きさがきまっており自由度がない。形状、大きさが決まっているため、陳列配置できる面積や高さが異なっていた場合（例えば、大きかった場合）にはその展示販売台が使用されない場合があるなどの問題があった。
【０００５】
また、同じ商品の展示販売台を使用したまま、販売する商品を変えて異なる商品を展示販売しようとしても、展示販売台を取り替えることが出来なかった。さらに、取り替えることが出来ても取り替える作業に時間と手間がかかり、作業自体が煩雑となり、展示販売台を使用する店舗には負担となっていた。
【発明の開示】
【発明が解決しようとする課題】
【０００６】
本発明は、店頭等で商品を展示しながら販売する販売展示台に関する以上のような問題に鑑みてなされたもので、組立て方法により陳列面積が変更できる複合展示販売台を提供することを課題とする。
【課題を解決するための手段】
【０００７】
本発明の請求項１の発明は、商品が展示販売される２以上の販売台と、販売台に展示されている商品および／または商品に関連する宣伝広告が表示されている１以上の広告板と、前記販売台と広告板の配置位置を特定させる固定フレームと、から構成されている複合展示販売台であって、
前記固定フレームは、少なくとも背面板の左右端に側面板、後端に底面板が折り立てられているフレームから構成されており、
前記販売台は、前記商品が配置される表面板と、左右端に側面板をそなえ、かつ、前記広告板の差し込み部を差し込む差し込み穴が設けられており、
前記固定フレームは、フレームの底面板を底面として配置したときに、前記販売台を上下に２以上配置する縦置きの形態と、フレームの背面板を底面として配置したときに、前記販売台を前後に２以上配置する縦置きの形態と、を具備することを特徴とする複合展示販売台である。
【０００８】
このように請求項１記載の発明によれば、商品が展示販売される１以上の販売台と、販売台に展示されている商品および／または商品に関連する宣伝広告が表示されている１以上の広告板と、前記販売台と広告板の配置位置を特定させる固定フレームとから構成されているので、設置場所に応じて販売台や広告板を増減することが可能で、かつ、比較的簡単に容易に組み立てることができる。
また、固定フレームは販売台と広告板とが複数の取付け方法により取付け可能なように形成されているので、固定フレームに販売台と広告板を異なった方向から取り付けることができる。
さらに、販売台には、広告板に形成された差し込み部を差し込むための差し込み穴が設けられているので、販売台に広告板を簡単に差し込むことができる。
【０００９】
また、請求項２の発明は、請求項１の発明において、前記固定フレームと販売台とは、固定治具により固定されていることを特徴とする複合展示販売台である。
【００１０】
このように請求項２記載の発明によれば、固定フレームと販売台とは、固定治具により固定されているので、固定フレームと販売台とはしっかりと固定されており商品を安定した状態で陳列展示できる。
【００１１】
また、請求項３の発明は、請求項２の発明において、前記販売台には、側面の２箇所の他に、背面の２箇所に販売台と固定フレームを固定させるための固定治具取付け穴が設けられていることを特徴とする複合展示販売台である。
【００１２】
このように請求項３記載の発明によれば、販売台には、側面の２箇所の他に、背面の２箇所に販売台と固定フレームを固定させるための固定治具取付け穴が設けられているので、固定フレームを立てた状態にしても販売台を安定して固定させることができる。
【００１４】
また、例えば、図１に示すような固定フレームを立てた通常の展示方法のほかに、奥行きも高さもある場所等では図２に示すような固定フレームを横置きして広告板も縦長の大きくした展示方法ができる。
【００１５】
また、請求項４の発明は、請求項１、２又は３の発明において、前記販売台には、販売販売される商品の形状に対応した商品保持部が備えられていることを特徴とする複合展示販売台である。
【００１６】
このように請求項４記載の発明によれば、販売台には、販売販売される商品の形状に対応した商品保持部が備えられているので、複数の販売台が設置されていても商品を間違えたりして陳列展示することはない。
【００１８】
なお、販売台には、広告板に形成された差し込み部を差し込むための差し込み穴が設けられているので、販売台に広告板を簡単に差し込むことができる。
【００１９】
また、請求項５の発明は、請求項１、２、３又は４の発明において、前記広告板は、ミラーが取付け可能に形成されていることを特徴とする複合展示販売台である。
【００２０】
このように請求項５記載の発明によれば、広告板は、ミラーが取付け可能に形成されているので、例えば、商品を購入しようとする人がミラーで商品等を確認することができる。
【００２１】
また、請求項６の発明は、請求項１、２、３、４又は５の発明において、前記販売台の側面板上の傾斜角度と、底面板を底面としたときの固定フレームの各側面板上部の傾斜角度と、背面板を底面としたときの固定フレームの側面板上部の傾斜角度と、が同一であることを特徴とする複合展示販売台である。
【００２２】
このように請求項６記載の発明によれば、販売台と固定フレームの各側面板の傾斜角度が同一であるので見栄えが良い。
【００２３】
また、請求項７の発明は、請求項１、２、３、４、５又は６の発明において、前記固定フレームの高さは、前記販売台を２段重ねた高さと略同一とすることを特徴とする複合展示販売台である。
【００２４】
このように請求項７記載の発明によれば、固定フレームの高さと販売台を２段重ねた高さとを略同一とすることにより、見栄えの良い展示が可能となる。
【００２５】
また、請求項８の発明は、請求項１、２、３、４、５、６又は７の発明において、前記固定フレームの幅は前記販売台の幅の略倍数とすることを特徴とする複合展示販売台である。
【００２６】
このように請求項８記載の発明によれば、固定フレームの幅を販売台の幅の略倍数とすることにより、販売台が固定フレームに余分な隙間を生じさせることなく、きっちりと載置することができる。
【００２７】
また、請求項９の発明は、請求項１、２、３、４、５、６、７又は８の発明において、前記販売台、広告板及び固定フレームとが紙素材から作製されていることを特徴とする複合展示販売台である。
【００２８】
このように請求項９記載の発明によれば、販売台、広告板及び固定フレームを紙素材から作製すると，環境問題を生じさせない複合展示販売台となり、かつ、使用後リサイクルし易い。一方、販売台や広告板をプラスチック製ボード等で製造すると、見栄えがよくなり、目立つのでアイキャッチ効果を増し、広告宣伝力が増すという効果もある。
【発明の効果】
【００２９】
このように本発明の複合展示販売台は、組み立て方によって陳列展示サイズを変えることができる。例えば、奥行きが無く間口に比較的余裕のある場所、奥行きも高さも比較的余裕のある場所、スペースがほとんどとれない場所、等状況に応じた展示販売台として組み立てることができる。また、広告力が上がるという相乗効果を有している。
【発明を実施するための最良の形態】
【００３０】
本発明を一実施形態に基づいて以下に詳細に説明する。
本発明の複合展示販売台（１）は、例えば、図１、図２、図１３、図１４に示すように、商品が展示販売される１以上の販売台（１０、１０、‥）と、販売台に展示されている商品および／または商品に関連する宣伝広告が表示されている１以上の広告板（２０、２０、‥）と、前記販売台と広告板の配置位置を特定させる固定フレーム（３０）とから構成されている。
【００３１】
そして、固定フレーム（３０）と販売台（１０）とは、固定治具（４０）により少なくとも２箇所以上で固定される。２箇所以上で固定するのは、販売台に商品が載せられても強固に固定するためである。固定治具（４０）は、固定フレーム（３０）と販売台（１０）とを止めれば良いので特に限定されないが、止めた後も必要に応じて取り外し可能なプラスチックビス、金属ビス等が好ましく使用できる。
【００３２】
固定フレーム（３０）は、フレーム（３１）とフレーム（３１）の内側に挟み込まれるように載置される販売台載置台（３２）とから構成されている。販売台載置台（３２）は、購入する人に判り易く商品を段差を付けて展示するためのものである。
【００３３】
そして、固定フレーム（３０）は、販売台（１０）と広告板（２０）とを複数の取付け方法で取付け可能に形成されている。すなわち、例えば、図１に示すような固定フレーム（３０）を立てた通常の展示方法のほかに、奥行きも高さもある場所等では図２に示すような固定フレーム（３０）を横置きして広告板（２０）も縦長の大きくした展示方法が考えられる。
【００３４】
また、間口が広く奥行きのない場所には、例えば図１３に示すような固定フレーム（３０）を使用せずに、販売台（１０）を複数個横に並べる展示方法が、また展示スペ−スがほとんど取れない場所では、例えば図１４に示すような販売台（１０）１個に広告板（２０）を差し込んだ展示方法が例示できる。
【００３５】
以下フレーム（３１）の構造を図３に基づいて説明する。
フレーム（３１）は、背面補強板（３３）、背面板（３４）、底面板（３５）、底面折り返し板（３６）がそれぞれ折り曲げ線（ａ、ａ、‥）を介して連設されている。
【００３６】
背面補強板（３３）は、略中央に設けられた折り曲げ線（ａ）と平行な折り曲げ線（ｂ）により背面板（３４）に隣り合う上部背面補強板（３３１）と背面板（３４）から離れて形成される下部背面補強板（３３２）とに二分されている。
【００３７】
上部背面補強板（３３１）には、その略中央に折り曲げ線（ａ）と平行に販売台（１０）の背面板側に設けた販売台固定治具取付け孔（ｈｗ）に対応する固定フレーム固定治具取付け孔（ｋｗ）が複数穿設されている。そして固定フレーム固定治具取付け孔（ｋｗ）の近傍には、販売台（１０）を固定フレーム（３０）に固定するための固定治具（４０）を嵌めるための指入れ穴（ｙｕ）が穿設されている。
【００３８】
背面板（３４）の両端にはそれぞれ折り曲げ線（ｃ）を介して左側面板（３４１）、右側面板（３４２）が連設されている。背面板（３４）の上部背面補強板寄りには、折り曲げ線（ａ）に沿って上部背面補強板（３３１）を折り曲げた際、上部背面補強板（３３１）に設けられた固定フレーム固定治具取付け孔（ｋｗ）に重なる第２固定フレーム固定治具取付け孔（ｋｗ２）と、指入れ穴（ｙｕ）に重なる第２指入れ穴（ｙｕ２）がそれぞれ穿設されている。
【００３９】
また、左側面板（３４１）の上部背面補強板（３３１）寄りには、販売台（１０）の側面板側に設けた販売台固定治具取付け孔（ｈｗ）に対応する固定フレーム固定治具取付け孔（ｋｗ）が穿設されている。
【００４０】
左側面板（３４１）の底面板（３５）寄りには、折り曲げ線（ａ）と同一線上に形成された折り曲げ線（ｄ）を介して左折り曲げ舌片（３４３）が連設されている。
【００４１】
また、左側面板（３４１）の左折り曲げ舌片（３４３）寄りには、販売台（１０）の側面板側に設けた販売台固定治具取付け孔（ｈｗ）に対応する固定フレーム固定治具取付け孔（ｋｗ）が穿設されている。
【００４２】
さらに左折り曲げ舌片（３４３）には、固定フレームを組み立てた際、背面板（３４）に設けた第２指入れ穴（ｙｕ２）に重なる指入れ穴（ｙｕ）が穿設されている。
【００４３】
右側面板（３４２）の上部背面補強板（３３１）寄りには、販売台（１０）の側面板側に設けた販売台固定治具取付け孔（ｈｗ）に対応する固定フレーム固定治具取付け孔（ｋｗ）が穿設されている。
【００４４】
また、右側面板（３４２）の底面板（３５）寄りには、折り曲げ線（ａ）と同一線上に形成された折り曲げ線（ｄ）を介して右折り曲げ舌片（３４４）が連設されてる。
【００４５】
また、右側面板（３４２）の右折り曲げ舌片（３４４）寄りには、販売台（１０）の側面板側に設けた販売台固定治具取付け孔（ｈｗ）に対応する固定フレーム固定治具取付け
孔（ｋｗ）が穿設されている。
【００４６】
さらに右折り曲げ舌片（３４４）には、固定フレームを組み立てた際、背面板（３４）に設けた第２指入れ穴（ｙｕ２）に重なる指入れ穴（ｙｕ）が穿設されている。
【００４７】
底面板（３５）と底面折り返し板（３６）それぞれの両端近傍には、フレーム（３１）を組立てた際、左折り曲げ舌片に設けられた指入れ穴に対応する指入れ穴（ｙｕ）が、また右折り曲げ舌片に設けられた指入れ穴に対応する指入れ穴（ｙｕ）がそれぞれ穿設されている。
【００４８】
以上のような構造からなるフレームのブランクを折り曲げ線（ａ、ｂ、ｃ、ｄ）に沿って折り曲げ組み立てると、背面板（３４）の左右端に側面板、後端に底面板が折り立てられ、前面と天面が開放された塵取り様のフレーム（３１）が組上がる（図４参照）。
【００４９】
フレーム（３１）は以上のような構造より成り立っている。つぎに販売台載置台（３２）の構造を図５に基づいて説明する。
販売台載置台（３２）のブランクは、下面板（３２３）、後面板（３２４）、上面板（３２１）、前面板（３２２）、糊代片（３２５）がそれぞれ折り曲げ線を介して連設されている。
【００５０】
前面板（３２２）の両端には折り曲げ線を介して折り曲げ片（３２２１、３２２２）が連設されている。また、後面板（３２４）の両端には折り曲げ線を介して折り曲げ片（３２４１、３２４２）が連設されている。    
【００５１】
以上のような構造からなる販売台載置台（３２）のブランクを折り曲げ線に沿って折り曲げ組み立てると、図６に示すような長方形状の販売台載置台（３２）が組上がる。
【００５２】
この長方形状の販売台載置台（３２）を塵取り様のフレーム（３１）の内側の背面板に左右の側面板（３４１、３４２）から飛び出さないように取付け、図７に示すような固定フレーム（３０）が出来上がる。
【００５３】
この時、販売台載置台（３２）は、背面板（３４）や底面板（３５）、底面折り返し板（３６）に設けた販売台固定治具取付け孔（ｈｗ）や指入れ穴（ｙｕ）と重ならないように設けなくてはならない。
【００５４】
また、販売台載置台（３２）の上に販売台（１０）を載置した際、販売台（１０）の傾斜角度（α）と固定フレーム（３０）の傾斜角度（β）が同一になるように、また、販売台の奥行きと販売台載置台（３２）の奥行きが略同一になるようにすると、見栄えの良い複合展示販売台となる（図４、図１０参照）。
【００５５】
販売台載置台（３２）の下に販売台（１０）を載置する場合も、販売台（１０）の傾斜角度と固定フレーム（３０）の傾斜角度が同一になるように設計されていると、見栄えの良い複合展示販売台となる。
【００５６】
つぎに販売台（１０）につき、図１０、図１１の図面に基づいて説明する。
販売台（１０）は、方形をした底面板（１１）の各辺から垂設される左右の側面板（１２、１３）、前後の前面板（１４）、背面板（１５）の上に、手前に下がる傾斜を有する表面板（１６）が設けられた構造からなる。
【００５７】
表面板（１６）には展示販売される商品、例えば、化粧品等の商品（５０）の形状に対
応した商品保持部（１７）が設けられている。商品保持部（１７）は、商品の形状や展示方法により穴、切り込み等任意の形状を取ることができる。
【００５８】
背面板（１５）の外側には第２背面板（１９）が設けられ、背面板（１５）と第２背面板（１９）の間には広告板（２０）に形成された差し込み部（２２）を差し込むための差し込み穴（１８）が設けられている。
【００５９】
また、背面板（１５）とそれに重なる第２背面板（１９）の左右端近傍には、固定フレーム（３０）のフレーム（３１）の左右の側面板（３４１、３４２）に穿設された固定フレーム固定治具取付け孔（ｋｗ）に対応する販売台固定治具取付け孔（ｈｗ）が穿設されている。
【００６０】
左右の側面板（１２、１３）の前後には、固定フレーム（３０）のフレーム（３１）の左右の側面板（３４１、３４２）に穿設された固定フレーム固定治具取付け孔（ｋｗ）に対応する販売台固定治具取付け孔（ｈｗ）が穿設されている。
【００６１】
なお、販売台（１０）の必要個所には固定フレーム（３０）と同様に、固定治具（４０）を嵌めるための指入れ穴が穿設されている。
【００６２】
広告板（２０）は、商品の宣伝広告等が表示されている表示部（２１）と、表示部（２１）の下縁から外方に突出して形成される差し込み部（２２）から構成されている。差し込み部（２２）は販売台（１０）の差し込み穴（１８）に差し込まれる部分で、差し込む販売台の差し込み穴（１８）に対応して、必要に応じて一箇所であったり、二箇所であったりする（図１２参照）。また、表示部（２１）は表面のみならず裏面にも設けることができる。
【図面の簡単な説明】
【００６３】
【図１】本発明の複合展示販売台の一実施例を示す斜視説明図である。
【図２】本発明の複合展示販売台の別の実施例を示す斜視説明図である。
【図３】固定フレームに使用するフレームの一実施例を示す展開説明図である。
【図４】図３の組立て説明図である。
【図５】固定フレームに使用する販売台載置台の一実施例を示す展開説明図である。
【図６】図５の組立て説明図である。
【図７】固定フレームの一実施例を示す斜視説明図である。
【図８】固定フレームの別の実施例を示す斜視説明図である。
【図９】図８を裏側から見た斜視説明図である。
【図１０】販売台の一実施例を示す（ａ）は上面から見た斜視説明図であり、（ｂ）は斜め後方から見た斜視説明図である。
【図１１】販売台の別の実施例を示す（ａ）は上面から見た斜視説明図であり、（ｂ）は斜め後方から見た斜視説明図である。
【図１２】（ａ）〜（ｃ）は広告板の一実施例を示す説明図である。
【図１３】本発明の複合展示販売台を使用した展示方法の別の実施例を示す斜視説明図である。
【図１４】本発明の複合展示販売台を使用した展示方法のさらに別の実施例を示す斜視説明図である。
【符号の説明】
【００６４】
１‥‥複合販売展示台
１０‥‥販売台
１１‥‥底面板
１２‥‥側面板（左）
１３‥‥側面板（右）
１４‥‥前面板
１５‥‥背面板
１６‥‥表面板
１７‥‥商品保持部
１８‥‥差し込み穴
１９‥‥第２背面板
２０‥‥広告板
２１‥‥表示部
２２‥‥差し込み部
３０‥‥固定フレーム
３１‥‥フレーム
３２‥‥販売台載置台
３３‥‥背面補強板
３４‥‥背面板
３５‥‥底面板
３６‥‥底面折り返し板
４０‥‥固定治具
５０‥‥商品
３２１‥‥上面板
３２２‥‥前面板
３２３‥‥下面板
３２４‥‥後面板
３２５‥‥糊代片
３３１‥‥上部背面補強板
３３２‥‥下部背面補強板
３４１‥‥左側面板
３４２‥‥右側面板
３４３‥‥左折り曲げ舌片
３４４‥‥右折り曲げ舌片
３２２１‥‥折り曲げ片
３２２２‥‥折り曲げ片
３２４１‥‥折り曲げ片
３２４２‥‥折り曲げ片
ａ‥‥折り曲げ線
ｂ‥‥折り曲げ線
ｃ‥‥折り曲げ線
ｄ‥‥折り曲げ線
ｈｗ‥‥販売台固定治具取付け孔
ｋｗ‥‥固定フレーム固定治具取付け孔
ｋｗ２‥第２固定フレーム固定治具取付け孔
ｙｕ‥‥指入れ穴
ｙｕ２‥第２指入れ穴
α‥‥販売台の傾斜角度
β‥‥固定フレームの傾斜角度
【図１】
0004670731.tif 000002
【図２】
0004670731.tif 000003
【図３】
0004670731.tif 000004
【図４】
0004670731.tif 000005
【図５】
0004670731.tif 000006
【図６】
0004670731.tif 000007
【図７】
0004670731.tif 000008
【図８】
0004670731.tif 000009
【図９】
0004670731.tif 000010
【図１０】
0004670731.tif 000011
【図１１】
0004670731.tif 000012
【図１２】
0004670731.tif 000013
【図１３】
0004670731.tif 000014
【図１４】
0004670731.tif 000015